(57)【要約】  本開示の実施例は、ＲＢＧ分割方法およびユーザ端末を提供する。当該方法において、ＢＷＰの第一個のＲＢＧに含まれるＲＢを特定することと、前記ＢＷＰのうちの他ＲＢＧに含まれるＲＢを、予め取得したＲＢＧサイズに基づいて特定することとを含み、ここで、前記他ＲＢＧは、前記ＢＷＰのうち、前記第一個のＲＢＧを除いたＲＢＧである。【選択図】  図３
2020534760.tif 000002
【特許請求の範囲】
【請求項１】
ＲＢＧ（Ｒｅｓｏｕｒｃｅ  Ｂｌｏｃｋ  Ｇｒｏｕｐ）分割方法において、
ＢＷＰ（Ｂａｎｄ  Ｗｉｄｔｈ  Ｐａｒｔ）の第一個のＲＢＧに含まれるＲＢ（Ｒｅｓｏｕｒｃｅ  Ｂｌｏｃｋ）を特定することと、
前記ＢＷＰのうちの他ＲＢＧに含まれるＲＢを、予め取得したＲＢＧサイズに基づいて特定することとを含み、
ここで、前記他ＲＢＧは、前記ＢＷＰのうち、前記第一個のＲＢＧを除いたＲＢＧである、ＲＢＧ分割方法。
【請求項２】
前記第一個のＲＢＧは、前記ＢＷＰの低周波側の第一個のＲＢＧであり、
前記ＢＷＰのうちの他ＲＢＧに含まれるＲＢを、予め取得したＲＢＧサイズに基づいて特定することは、
前記ＢＷＰのうちの他ＲＢＧに含まれるＲＢを、予め取得したＲＢＧサイズに基づき、かつ周波数の低い順に特定することを含み、
または、
前記第一個のＲＢＧは、前記ＢＷＰの高周波側の第一個のＲＢＧであり、
前記ＢＷＰのうちの他ＲＢＧに含まれるＲＢを、予め取得したＲＢＧサイズに基づいて特定することは、
前記ＢＷＰのうちの他ＲＢＧに含まれるＲＢを、予め取得したＲＢＧサイズに基づき、かつ周波数の高い順に特定することを含む、請求項１に記載の方法。
【請求項３】
ＢＷＰの第一個のＲＢＧに含まれるＲＢを特定することは、
ネットワーク側から送信される通知メッセージに基づき、ＢＷＰの第一個のＲＢＧに含まれるＲＢを特定すること、または、
前記ＢＷＰの第一個のＲＢとキャリア帯域幅の第一個のＲＢとのオフセットに基づき、ＢＷＰの第一個のＲＢＧに含まれるＲＢを特定することを含む、請求項１または２に記載の方法。
【請求項４】
前記通知メッセージは、
前記第一個のＲＢＧの開始位置、前記第一個のＲＢＧの終了位置、前記第一個のＲＢＧに含まれるＲＢ数または前記ＢＷＰの第二個のＲＢＧの開始位置を含む、請求項３に記載の方法。
【請求項５】
ネットワーク側から送信される通知メッセージに基づき、ＢＷＰの第一個のＲＢＧに含まれるＲＢを特定することは、
前記第一個のＲＢＧの開始位置が前記通知メッセージに含まれると、前記第一個のＲＢＧの開始位置からＰ（前記ＲＢＧサイズ）個のＲＢのうち、前記ＢＷＰに属するＲＢを、前記第一個のＲＢＧに含まれるＲＢとすること、または、
前記第一個のＲＢＧの終了位置が前記通知メッセージに含まれると、前記ＢＷＰの第一個のＲＢから、終了位置が前記第一個のＲＢＧの終了位置である少なくとも１つのＲＢを、前記第一個のＲＢＧに含まれるＲＢとすること、または、
前記第一個のＲＢＧに含まれるＲＢ数が前記通知メッセージに含まれると、前記ＢＷＰの第一個のＲＢから、ＲＢ数が前記第一個のＲＢＧに含まれるＲＢ数である少なくとも１つのＲＢを、前記第一個のＲＢＧに含まれるＲＢとすること、または、
前記第二個のＲＢＧの開始位置が前記通知メッセージに含まれると、前記ＢＷＰの第一個のＲＢから、終了位置が前記第二個のＲＢＧの開始位置の一つ前のＲＢである少なくとも１つのＲＢを、前記第一個のＲＢＧに含まれるＲＢとすることを含む、請求項４に記載の方法。
【請求項６】
前記ＢＷＰの第一個のＲＢとキャリア帯域幅の第一個のＲＢとのオフセットに基づき、ＢＷＰの第一個のＲＢＧに含まれるＲＢを特定することは、
ＢＷＰのＴ個のＲＢを前記第一個のＲＢＧに含まれるＲＢとして特定することを含み、
ここで、前記Ｔは、Ｐ−（Ｓ  ｍｏｄ  Ｐ）に等しく、ここで、前記Ｐは、前記ＲＢＧサイズであり、前記Ｓは、前記オフセットであり、前記ｍｏｄは、余りを求める関数である、請求項３に記載の方法。
【請求項７】
ＢＷＰのＴ個のＲＢを前記第一個のＲＢＧに含まれるＲＢとして特定することは、
前記ＢＷＰの第一個のＲＢからＴ個のＲＢを、前記第一個のＲＢＧに含まれるＲＢとすることを含む、請求項６に記載の方法。
【請求項８】
ＢＷＰの第一個のＲＢＧに含まれるＲＢを特定するための第１特定モジュールと、
前記ＢＷＰのうちの他ＲＢＧに含まれるＲＢを、予め取得したＲＢＧサイズに基づいて特定するための第２特定モジュールとを含み、
前記他ＲＢＧは、前記ＢＷＰのうち、前記第一個のＲＢＧを除いたＲＢＧである、ユーザ端末。
【請求項９】
前記第１特定モジュールは、
ネットワーク側から送信される通知メッセージに基づき、ＢＷＰの第一個のＲＢＧに含まれるＲＢを特定することに用いられ、
または、
前記第１特定モジュールは、
前記ＢＷＰの第一個のＲＢとキャリア帯域幅の第一個のＲＢとのオフセットに基づき、ＢＷＰの第一個のＲＢＧに含まれるＲＢを特定することに用いられる、請求項８に記載のユーザ端末。
【請求項１０】
前記通知メッセージは、
前記第一個のＲＢＧの開始位置、前記第一個のＲＢＧの終了位置、前記第一個のＲＢＧに含まれるＲＢ数または前記ＢＷＰの第二個のＲＢＧの開始位置を含む、請求項９に記載のユーザ端末。
【請求項１１】
前記第１特定モジュールは、
ＢＷＰのＴ個のＲＢを前記第一個のＲＢＧに含まれるＲＢとして特定することに用いられ、
ここで、前記Ｔは、Ｐ−（Ｓ  ｍｏｄ  Ｐ）に等しく、ここで、前記Ｐは、前記ＲＢＧサイズであり、前記Ｓは、前記オフセットであり、前記ｍｏｄは、余りを求める関数である、請求項９に記載のユーザ端末。
【請求項１２】
メモリと、プロセッサと、前記メモリに記憶されて前記プロセッサで実行可能なコンピュータプログラムを含むユーザ端末であって、
前記プロセッサは、メモリからプログラムを読み取ることによって、
ＢＷＰの第一個のＲＢＧに含まれるＲＢを特定するプロセスと、
前記ＢＷＰのうちの他ＲＢＧに含まれるＲＢを、予め取得したＲＢＧサイズに基づいて特定するプロセスとを実行することに用いられ、
前記他ＲＢＧは、前記ＢＷＰのうち、前記第一個のＲＢＧを除いたＲＢＧである、ユーザ端末。
【請求項１３】
前記第一個のＲＢＧは、前記ＢＷＰの低周波側の第一個のＲＢＧであり、
前記プロセッサによる、前記ＢＷＰのうちの他ＲＢＧに含まれるＲＢを、予め取得したＲＢＧサイズに基づいて特定することは、
前記ＢＷＰのうちの他ＲＢＧに含まれるＲＢを、予め取得したＲＢＧサイズに基づき、かつ周波数の低い順に特定することを含み、
または、
前記第一個のＲＢＧは、前記ＢＷＰの高周波側の第一個のＲＢＧであり、
前記プロセッサによる、前記ＢＷＰのうちの他ＲＢＧに含まれるＲＢを、予め取得したＲＢＧサイズに基づいて特定することは、
前記ＢＷＰのうちの他ＲＢＧに含まれるＲＢを、予め取得したＲＢＧサイズに基づき、かつ周波数の高い順に特定することを含む、請求項１２に記載のユーザ端末。
【請求項１４】
前記プロセッサによる、ＢＷＰの第一個のＲＢＧに含まれるＲＢを特定することは、
ネットワーク側から送信される通知メッセージに基づき、ＢＷＰの第一個のＲＢＧに含まれるＲＢを特定すること、または、
前記ＢＷＰの第一個のＲＢとキャリア帯域幅の第一個のＲＢとのオフセットに基づき、ＢＷＰの第一個のＲＢＧに含まれるＲＢを特定することを含む、請求項１２または１３に記載のユーザ端末。
【請求項１５】
前記通知メッセージは、
前記第一個のＲＢＧの開始位置、前記第一個のＲＢＧの終了位置、前記第一個のＲＢＧに含まれるＲＢ数または前記ＢＷＰの第二個のＲＢＧの開始位置を含む、請求項１４に記載のユーザ端末。
【請求項１６】
前記プロセッサによる、ネットワーク側から送信される通知メッセージに基づき、ＢＷＰの第一個のＲＢＧに含まれるＲＢを特定することは、
前記第一個のＲＢＧの開始位置が前記通知メッセージに含まれると、前記第一個のＲＢＧの開始位置からＰ（前記ＲＢＧサイズ）個のＲＢのうち、前記ＢＷＰに属するＲＢを、前記第一個のＲＢＧに含まれるＲＢとすること、または、
前記第一個のＲＢＧの終了位置が前記通知メッセージに含まれると、前記ＢＷＰの第一個のＲＢから、終了位置が前記第一個のＲＢＧの終了位置である少なくとも１つのＲＢを、前記第一個のＲＢＧに含まれるＲＢとすること、または、
前記第一個のＲＢＧに含まれるＲＢ数が前記通知メッセージに含まれると、前記ＢＷＰの第一個のＲＢから、ＲＢ数が前記第一個のＲＢＧに含まれるＲＢ数である少なくとも１つのＲＢを、前記第一個のＲＢＧに含まれるＲＢとすること、または、
前記第二個のＲＢＧの開始位置が前記通知メッセージに含まれると、前記ＢＷＰの第一個のＲＢから、終了位置が前記第二個のＲＢＧの開始位置の一つ前のＲＢである少なくとも１つのＲＢを、前記第一個のＲＢＧに含まれるＲＢとすることを含む、請求項１４に記載のユーザ端末。
【請求項１７】
前記プロセッサによる、前記ＢＷＰの第一個のＲＢとキャリア帯域幅の第一個のＲＢとのオフセットに基づき、ＢＷＰの第一個のＲＢＧに含まれるＲＢを特定することは、
ＢＷＰのＴ個のＲＢを前記第一個のＲＢＧに含まれるＲＢとして特定することを含み、
ここで、前記Ｔは、Ｐ−（Ｓ  ｍｏｄ  Ｐ）に等しく、ここで、前記Ｐは、前記ＲＢＧサイズであり、前記Ｓは、前記オフセットであり、前記ｍｏｄは、余りを求める関数である、請求項１４に記載のユーザ端末。
【請求項１８】
前記プロセッサによる、ＢＷＰのＴ個のＲＢを前記第一個のＲＢＧに含まれるＲＢとして特定することは、
前記ＢＷＰの第一個のＲＢからＴ個のＲＢを、前記第一個のＲＢＧに含まれるＲＢとすることを含む、請求項１７に記載のユーザ端末。
【請求項１９】
コンピュータプログラムが記憶されているコンピュータ読み取り可能な記憶媒体であって、
当該プログラムがプロセッサによって実行されると、請求項１〜７のいずれか一項に記載のＲＢＧ分割方法のステップが実現される、コンピュータ読み取り可能な記憶媒体。
【発明の詳細な説明】
【技術分野】
【０００１】
本願は、２０１７年９月２１日に中国特許庁に提出された中国特許出願２０１７１０８６０８２０．１の優先権を主張し、その全ての内容が援用によりここに取り込まれる。
本開示は、通信技術分野に係り、特にＲＢＧ（Ｒｅｓｏｕｒｃｅ  Ｂｌｏｃｋ  Ｇｒｏｕｐ）分割方法およびユーザ端末に係る。
【背景技術】
【０００２】
通信システムにおいて、ダウンリンクではＲＢＧに基づくリソース割り当てがサポートされる。ここで、ＲＢＧとは、連続に分布するＲＢ（Ｒｅｓｏｕｒｃｅ  Ｂｌｏｃｋ）群を指す。ＲＢＧサイズは、Ｐで示される。ここで、Ｐは、ダウンリンクシステム帯域幅
【数１】
2020534760.tif 000003
によって決められる。たとえば、
【数２】
2020534760.tif 000004
が１０以下である場合、Ｐは１に等しいが、
【数３】
2020534760.tif 000005
が１１以上かつ２６以下である場合、Ｐは、２に等しい。ダウンリンクシステム帯域幅
【数４】
2020534760.tif 000006
全体に対応するＲＢＧ数は、
【数５】
2020534760.tif 000007
である。ここで、
【数６】
2020534760.tif 000008
は、ラウンドアップであり、かつＲＢＧ番号は、周波数が高くなりかつＲＢＧサイズが高くならない順に付けられる。
【０００３】
しかし、今後の通信システム、たとえばＮＲ（Ｎｅｗ  Ｒａｄｉｏ）通信システムにおいて、ユーザ端末は、帯域幅全体での送受信がサポートされない可能性がある。よって、ＢＷＰ（Ｂａｎｄ  Ｗｉｄｔｈ  Ｐａｒｔ）の概念がＮＲ通信システムに導入されている。ＢＷＰは、１つのキャリアのうちの１つの連続ＰＲＢ（Ｐｈｙｓｉｃａｌ  Ｒｅｓｏｕｒｃｅ  Ｂｌｏｃｋ）サブセットである。ユーザ端末は、活性化されたＢＷＰ内のみで送受信を行い、かつＢＷＰ内のＲＢは、０から番号付けられる。関連技術のＲＢＧ分割方式をさらに用いるのであれば、異なるユーザ端末のＢＷＰが重なると、ＲＢＧ分割が整合しない場合がある。たとえば、図１に示すように、図１では、ユーザ端末３のＲＢＧ＃３が占められると、ユーザ端末２のＲＢＧ＃１が使用できず、かつユーザ端末２のＲＢＧ＃１の境界がユーザ端末３のＲＢＧ＃３の境界とは揃わないため、一部のＲＢは、ＲＢＧに基づくメカニズムによる割り当てができない。関連技術のＲＢＧ分割方式によれば、リソース再使用効率が比較的低いことに繋がると分かる。
【発明の概要】
【発明が解決しようとする課題】
【０００４】
本開示の実施例は、ＲＢＧ分割方法およびユーザ端末を提供することによって、リソース再使用効率が比較的低いという問題を解決することにある。
【課題を解決するための手段】
【０００５】
本開示の実施例は、ＲＢＧ分割方法を提供する。当該方法において、ＢＷＰの第一個のＲＢＧに含まれるＲＢを特定することと、前記ＢＷＰのうちの他ＲＢＧに含まれるＲＢを、予め取得したＲＢＧサイズに基づいて特定することとを含み、ここで、前記他ＲＢＧは、前記ＢＷＰのうち、前記第一個のＲＢＧを除いたＲＢＧである。
【０００６】
選択可能に、前記第一個のＲＢＧは、前記ＢＷＰの低周波側の第一個のＲＢＧであり、前記ＢＷＰのうちの他ＲＢＧに含まれるＲＢを、予め取得したＲＢＧサイズに基づいて特定することは、前記ＢＷＰのうちの他ＲＢＧに含まれるＲＢを、予め取得したＲＢＧサイズに基づき、かつ周波数の低い順に特定することを含む。または、前記第一個のＲＢＧは、前記ＢＷＰの高周波側の第一個のＲＢＧであり、前記ＢＷＰのうちの他ＲＢＧに含まれるＲＢを、予め取得したＲＢＧサイズに基づいて特定することは、前記ＢＷＰのうちの他ＲＢＧに含まれるＲＢを、予め取得したＲＢＧサイズに基づき、かつ周波数の高い順に特定することを含む。
【０００７】
選択可能に、ＢＷＰの第一個のＲＢＧに含まれるＲＢを特定することは、ネットワーク側から送信される通知メッセージに基づき、ＢＷＰの第一個のＲＢＧに含まれるＲＢを特定すること、または、前記ＢＷＰの第一個のＲＢとキャリア帯域幅の第一個のＲＢとのオフセットに基づき、ＢＷＰの第一個のＲＢＧに含まれるＲＢを特定することを含む。
【０００８】
選択可能に、前記通知メッセージは、前記第一個のＲＢＧの開始位置、前記第一個のＲＢＧの終了位置、前記第一個のＲＢＧに含まれるＲＢ数または前記ＢＷＰの第二個のＲＢＧの開始位置を含む。
【０００９】
選択可能に、ネットワーク側から送信される通知メッセージに基づき、ＢＷＰの第一個のＲＢＧに含まれるＲＢを特定することは、前記第一個のＲＢＧの開始位置が前記通知メッセージに含まれると、前記第一個のＲＢＧの開始位置からＰ（前記ＲＢＧサイズ）個のＲＢのうち、前記ＢＷＰに属するＲＢを、前記第一個のＲＢＧに含まれるＲＢとすること、または、前記第一個のＲＢＧの終了位置が前記通知メッセージに含まれると、前記ＢＷＰの第一個のＲＢから、終了位置が前記第一個のＲＢＧの終了位置である少なくとも１つのＲＢを、前記第一個のＲＢＧに含まれるＲＢとすること、または、前記第一個のＲＢＧに含まれるＲＢ数が前記通知メッセージに含まれると、前記ＢＷＰの第一個のＲＢから、ＲＢ数が前記第一個のＲＢＧに含まれるＲＢ数である少なくとも１つのＲＢを、前記第一個のＲＢＧに含まれるＲＢとすること、または、前記第二個のＲＢＧの開始位置が前記通知メッセージに含まれると、前記ＢＷＰの第一個のＲＢから、終了位置が前記第二個のＲＢＧの開始位置の一つ前のＲＢである少なくとも１つのＲＢを、前記第一個のＲＢＧに含まれるＲＢとすることを含む。
【００１０】
選択可能に、前記ＢＷＰの第一個のＲＢとキャリア帯域幅の第一個のＲＢとのオフセットに基づき、ＢＷＰの第一個のＲＢＧに含まれるＲＢを特定することは、ＢＷＰのＴ個のＲＢを前記第一個のＲＢＧに含まれるＲＢとして特定することを含み、ここで、前記Ｔは、Ｐ−（Ｓ  ｍｏｄ  Ｐ）に等しく、ここで、前記Ｐは、前記ＲＢＧサイズであり、前記Ｓは、前記オフセットであり、前記ｍｏｄは、余りを求める関数である。
【００１１】
選択可能に、ＢＷＰのＴ個のＲＢを前記第一個のＲＢＧに含まれるＲＢとして特定することは、前記ＢＷＰの第一個のＲＢからＴ個のＲＢを、前記第一個のＲＢＧに含まれるＲＢとすることを含む。
【００１２】
本開示の実施例は、ユーザ端末をさらに提供する。当該ユーザ端末は、ＢＷＰの第一個のＲＢＧに含まれるＲＢを特定するための第１特定モジュールと、前記ＢＷＰのうちの他ＲＢＧに含まれるＲＢを、予め取得したＲＢＧサイズに基づいて特定するための第２特定モジュールとを含み、ここで、前記他ＲＢＧは、前記ＢＷＰのうち、前記第一個のＲＢＧを除いたＲＢＧである。
【００１３】
選択可能に、前記第１特定モジュールは、ネットワーク側から送信される通知メッセージに基づき、ＢＷＰの第一個のＲＢＧに含まれるＲＢを特定することに用いられる。または、前記第１特定モジュールは、前記ＢＷＰの第一個のＲＢとキャリア帯域幅の第一個のＲＢとのオフセットに基づき、ＢＷＰの第一個のＲＢＧに含まれるＲＢを特定することに用いられる。
【００１４】
選択可能に、前記通知メッセージは、前記第一個のＲＢＧの開始位置、前記第一個のＲＢＧの終了位置、前記第一個のＲＢＧに含まれるＲＢ数または前記ＢＷＰの第二個のＲＢＧの開始位置を含む。
【００１５】
選択可能に、前記第１特定モジュールは、ＢＷＰのＴ個のＲＢを前記第一個のＲＢＧに含まれるＲＢとして特定することに用いられ、ここで、前記Ｔは、Ｐ−（Ｓ  ｍｏｄ  Ｐ）に等しく、ここで、前記Ｐは、前記ＲＢＧサイズであり、前記Ｓは、前記オフセットであり、前記ｍｏｄは、余りを求める関数である。
【００１６】
本開示の実施例は、メモリと、プロセッサと、前記メモリに記憶されて前記プロセッサで実行可能なコンピュータプログラムを含むユーザ端末をさらに提供する。前記プロセッサは、メモリからプログラムを読み取ることによって、ＢＷＰの第一個のＲＢＧに含まれるＲＢを特定するプロセスと、前記ＢＷＰのうちの他ＲＢＧに含まれるＲＢを、予め取得したＲＢＧサイズに基づいて特定するプロセスとを実行することに用いられ、ここで、前記他ＲＢＧは、前記ＢＷＰのうち、前記第一個のＲＢＧを除いたＲＢＧである。
【００１７】
選択可能に、前記第一個のＲＢＧは、前記ＢＷＰの低周波側の第一個のＲＢＧであり、前記プロセッサによる、前記ＢＷＰのうちの他ＲＢＧに含まれるＲＢを、予め取得したＲＢＧサイズに基づいて特定することは、前記ＢＷＰのうちの他ＲＢＧに含まれるＲＢを、予め取得したＲＢＧサイズに基づき、かつ周波数の低い順に特定することを含む。または、前記第一個のＲＢＧは、前記ＢＷＰの高周波側の第一個のＲＢＧであり、前記プロセッサによる、前記ＢＷＰのうちの他ＲＢＧに含まれるＲＢを、予め取得したＲＢＧサイズに基づいて特定することは、前記ＢＷＰのうちの他ＲＢＧに含まれるＲＢを、予め取得したＲＢＧサイズに基づき、かつ周波数の高い順に特定することを含む。
【００１８】
選択可能に、前記プロセッサによる、ＢＷＰの第一個のＲＢＧに含まれるＲＢを特定することは、ネットワーク側から送信される通知メッセージに基づき、ＢＷＰの第一個のＲＢＧに含まれるＲＢを特定すること、または、前記ＢＷＰの第一個のＲＢとキャリア帯域幅の第一個のＲＢとのオフセットに基づき、ＢＷＰの第一個のＲＢＧに含まれるＲＢを特定することを含む。
【００１９】
選択可能に、前記通知メッセージは、前記第一個のＲＢＧの開始位置、前記第一個のＲＢＧの終了位置、前記第一個のＲＢＧに含まれるＲＢ数または前記ＢＷＰの第二個のＲＢＧの開始位置を含む。
【００２０】
選択可能に、前記プロセッサによる、ネットワーク側から送信される通知メッセージに基づき、ＢＷＰの第一個のＲＢＧに含まれるＲＢを特定することは、前記第一個のＲＢＧの開始位置が前記通知メッセージに含まれると、前記第一個のＲＢＧの開始位置からＰ（前記ＲＢＧサイズ）個のＲＢのうち、前記ＢＷＰに属するＲＢを、前記第一個のＲＢＧに含まれるＲＢとすること、または、前記第一個のＲＢＧの終了位置が前記通知メッセージに含まれると、前記ＢＷＰの第一個のＲＢから、終了位置が前記第一個のＲＢＧの終了位置である少なくとも１つのＲＢを、前記第一個のＲＢＧに含まれるＲＢとすること、または、前記第一個のＲＢＧに含まれるＲＢ数が前記通知メッセージに含まれると、前記ＢＷＰの第一個のＲＢから、ＲＢ数が前記第一個のＲＢＧに含まれるＲＢ数である少なくとも１つのＲＢを、前記第一個のＲＢＧに含まれるＲＢとすること、または、前記第二個のＲＢＧの開始位置が前記通知メッセージに含まれると、前記ＢＷＰの第一個のＲＢから、終了位置が前記第二個のＲＢＧの開始位置の一つ前のＲＢである少なくとも１つのＲＢを、前記第一個のＲＢＧに含まれるＲＢとすることを含む。
【００２１】
選択可能に、前記プロセッサによる、前記ＢＷＰの第一個のＲＢとキャリア帯域幅の第一個のＲＢとのオフセットに基づき、ＢＷＰの第一個のＲＢＧに含まれるＲＢを特定することは、ＢＷＰのＴ個のＲＢを前記第一個のＲＢＧに含まれるＲＢとして特定することを含み、ここで、前記Ｔは、Ｐ−（Ｓ  ｍｏｄ  Ｐ）に等しく、ここで、前記Ｐは、前記ＲＢＧサイズであり、前記Ｓは、前記オフセットであり、前記ｍｏｄは、余りを求める関数である。
【００２２】
選択可能に、前記プロセッサによる、ＢＷＰのＴ個のＲＢを前記第一個のＲＢＧに含まれるＲＢとして特定することは、前記ＢＷＰの第一個のＲＢからＴ個のＲＢを、前記第一個のＲＢＧに含まれるＲＢとすることを含む。
【００２３】
本開示の実施例は、コンピュータプログラムが記憶されているコンピュータ読み取り可能な記憶媒体をさらに提供する。当該プログラムがプロセッサによって実行されると、本開示の実施例におけるＲＢＧ分割方法のステップが実現される。
【発明の効果】
【００２４】
本開示の実施例において、ＢＷＰの第一個のＲＢＧに含まれるＲＢを特定し、前記ＢＷＰのうちの他ＲＢＧに含まれるＲＢを、予め取得したＲＢＧサイズに基づいて特定する。ここで、前記Ｐは、ＲＢＧサイズであり、前記他ＲＢＧは、前記ＢＷＰのうち、前記第一個のＲＢＧを除いたＲＢＧである。第一個のＲＢＧに含まれるＲＢを特定してから、ＲＢＧサイズで他ＲＢＧを分割するため、すべてのＲＢＧをＲＢＧサイズで分割する関連技術に比較し、異なるユーザ端末のＲＢＧ分割が整合しないことを減少させ、または、異なるユーザ端末のＲＢＧ分割が整合しないことが避けられ、リソース利用効率を向上させることができる。
【図面の簡単な説明】
【００２５】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００２６】
【図１】関連技術におけるＲＢＧ分割方式の概略図である。
【図２】本開示の実施例で応用可能なネットワーク構造図である。
【図３】本開示の実施例におけるＲＢＧ分割方法のフローチャートである。
【図４】本開示の実施例におけるＲＢＧ分割の概略図である。
【図５】本開示の実施例における別のＲＢＧ分割の概略図である。
【図６】本開示の実施例における別のＲＢＧ分割の概略図である。
【図７】本開示の実施例におけるＲＢオフセットの概略図である。
【図８】本開示の実施例におけるユーザ端末の構造図である。
【図９】本開示の実施例における別のユーザ端末の構造図である。
【発明を実施するための形態】
【００２７】
以下、本開示の実施例の図面を参照しながら、本開示の実施例の技術手段を明確且つ完全的に記載する。明らかに、記載される実施例は、本開示の実施例の一部であり、全てではない。本開示の実施例に基づき、当業者が創造性のある作業をせずに為しえる全ての実施例は、本開示の保護範囲に属するものである。
【００２８】
図２を参照する。図２は、本開示の実施例で応用可能なネットワーク構造図である。図２に示すように、ＵＥ（Ｕｓｅｒ  Ｅｑｕｉｐｍｅｎｔ）２１とネットワーク側機器２２が含まれる。ここで、ユーザ機器２１は、携帯電話、タブレットパソコン（Ｔａｂｌｅｔ  Ｐｅｒｓｏｎａｌ  Ｃｏｍｐｕｔｅｒ）、ラップトップ型パソコン（Ｌａｐｔｏｐ  Ｃｏｍｐｕｔｅｒ）、ＰＤＡ（Ｐｅｒｓｏｎａｌ  Ｄｉｇｉｔａｌ  Ａｓｓｉｓｔａｎｔ）、ＭＩＤ（Ｍｏｂｉｌｅ  Ｉｎｔｅｒｎｅｔ  Ｄｅｖｉｃｅ）またはウェアラブルデバイス（Ｗｅａｒａｂｌｅ  Ｄｅｖｉｃｅ）などの端末側機器である。なお、本開示の実施例において、ユーザ機器２１の具体的な種類を限定しない。ネットワーク側機器２２は、たとえばマクロ基地局、ＬＴＥ  ｅＮＢ、５Ｇ  ＮＲ  ＮＢなどの基地局である。ネットワーク側機器２２は、ＬＰＮ（ｌｏｗ  ｐｏｗｅｒ  ｎｏｄｅ）、ｐｉｃｏ、ｆｅｍｔｏなどのスモール基地局、またはＡＰ（ａｃｃｅｓｓ  ｐｏｉｎｔ）であってもよい。基地局は、ＣＵ（ｃｅｎｔｒａｌ  ｕｎｉｔ）およびその管理／制御下の複数のＴＲＰ（Ｔｒａｎｓｍｉｓｓｉｏｎ  Ｒｅｃｅｐｔｉｏｎ  Ｐｏｉｎｔ）からなるネットワークノードであってもよい。なお、本開示の実施例において、ネットワーク側機器２２の具体的な種類を限定しない。
【００２９】
図３を参照する。図３は、本開示の実施例におけるＲＢＧ分割方法のフローチャートである。図３に示すように、ＢＷＰの第一個のＲＢＧに含まれるＲＢを特定するステップ３０１と、前記ＢＷＰのうちの他ＲＢＧに含まれるＲＢを、予め取得したＲＢＧサイズに基づいて特定するステップ３０２とを含み、ここで、前記他ＲＢＧは、前記ＢＷＰのうち、前記第一個のＲＢＧを除いたＲＢＧである。
【００３０】
上記ＢＷＰの第一個のＲＢＧは、ＢＷＰのある方から第一個のＲＢＧであり、たとえば、低周波側の第一個のＲＢＧであり、または、高周波側の第一個のＲＢＧである。ここで、低周波側の第一個のＲＢＧは、ＢＷＰのうち周波数の低い順で第一個のＲＢＧであり、すなわち当該ＲＢＧに含まれるＲＢは、ＢＷＰのうち周波数の最も低いＲＢである。一方、高周波側の第一個のＲＢＧは、ＢＷＰのうち周波数の高い順で第一個のＲＢＧであり、すなわち当該ＲＢＧに含まれるＲＢは、ＢＷＰのうち周波数の最も高いＲＢである。また、本開示の実施例において、ＢＷＰの第一個のＲＢは、同様に、ある方から第一個のＲＢであり、たとえば、低周波側の第一個のＲＢであり、または、高周波側の第一個のＲＢである。ここで、低周波側の第一個のＲＢは、ＢＷＰのうち周波数の最も低いＲＢであり、高周波側の第一個のＲＢは、ＢＷＰのうち周波数の最も高いＲＢである。キャリア帯域幅の第一個のＲＢは、ＢＷＰの第一個のＲＢを参照してもよく、ここでは繰り返して記載しない。
【００３１】
また、上記のＢＷＰの第一個のＲＢＧに含まれるＲＢを特定することは、ユーザ端末が、ネットワーク側から送信される通知メッセージに基づいて特定してもよく、または、ユーザ端末が、予め取得した特定ルールに基づいて特定してもよいが、これに対し、本開示の実施例において限定しない。かつ上記第一個のＲＢＧに含まれるＲＢ数は、上記ＲＢＧサイズ以下である。上記ＲＢＧサイズとして、ユーザ端末が設定済みの帯域幅に基づて算出してもよく、またはネットワーク側から設定されてもよいが、これに対し、本開示の実施例において限定しない。
【００３２】
ステップ２０２は、上記ＢＷＰのＲＢ数から第一個のＲＢＧのＲＢ数を引いてからＰで割り、他ＲＢＧに含まれるＲＢを得る。なお、本開示の実施例において、ＲＢＧサイズは、Ｐで示す。
【００３３】
たとえば、上記ＢＷＰ内のＲＢ数をＮ、第一個のＲＢＧのＲＢ数をＰ１とすると、第一個のＲＢＧを除いたＲＢＧ数は、
【数７】
2020534760.tif 000009
である。ここで、
【数８】
2020534760.tif 000010
個のＲＢＧのサイズがＰであり、（Ｎ−Ｐ１）  ｍｏｄ  Ｐ＞０の場合、そのうちの１つのＲＢＧのサイズは、
【数９】
2020534760.tif 000011
である。ここで、
【数１０】
2020534760.tif 000012
は、ラウンドアップであり、
【数１１】
2020534760.tif 000013
は、ラウンドダウンであり、ｍｏｄは、余りを求める演算である。たとえば、図４に示すように、ＢＷＰに含まれるＲＢ数Ｎは、１０６であり、ＲＢＧサイズＰは、８であり、第一個のＲＢＧサイズＰ１は、６である。すると、ＲＢＧ０を除いて
【数１２】
2020534760.tif 000014
＝１３個のＲＢＧを有し、そのうち１２個のＲＢＧのサイズは、８であり、もう一つのＲＢＧサイズは、４である。
【００３４】
なお、上記ステップによって、ＢＷＰの第一個のＲＢＧに含まれるＲＢを特定してから、他ＲＢＧを上記ＲＢＧサイズで分割することが実現される。このように、複数のユーザ端末のＢＷＰが重なる場合、当該複数のユーザ端末のＢＷＰのうちのＲＢＧ分割が整合であることが実現される。すなわち、キャリア内の異なるＢＷＰのＲＢＧ分割を整合させ、リソース使用効率を向上させる。たとえば、図５に示すように、ユーザ端末２は、まず第一個のＲＢＧ（ＲＢＧ＃０）に含まれるＲＢを特定してから、他ＲＢＧ（ＲＢＧ＃１〜ＲＢＧ＃６）を上記ＲＢＧサイズで分割する。このように、ユーザ端末２のＲＢＧとユーザ端末３のＲＢＧとを整合させ、リソース使用効率を向上させる。
【００３５】
１つの選択可能な実施形態において、前記第一個のＲＢＧは、前記ＢＷＰの低周波側の第一個のＲＢＧであり、前記ＢＷＰのうちの他ＲＢＧに含まれるＲＢを、予め取得したＲＢＧサイズに基づいて特定することは、前記ＢＷＰのうちの他ＲＢＧに含まれるＲＢを、予め取得したＲＢＧサイズに基づき、かつ周波数の低い順に特定することを含む。または、前記第一個のＲＢＧは、前記ＢＷＰの高周波側の第一個のＲＢＧであり、前記ＢＷＰのうちの他ＲＢＧに含まれるＲＢを、予め取得したＲＢＧサイズに基づいて特定することは、前記ＢＷＰのうちの他ＲＢＧに含まれるＲＢを、予め取得したＲＢＧサイズに基づき、かつ周波数の高い順に特定することを含む。
【００３６】
当該実施形態において、第一個のＲＢＧに含まれるＲＢおよび他ＲＢＧに含まれるＲＢを柔軟に特定することが実現され、異なる通信サービスや通信シーンに適応するためにＲＢＧ分割の柔軟性を向上させ、ユーザ端末の通信性能を向上させる。
【００３７】
別の選択可能な実施形態において、ＢＷＰの第一個のＲＢＧに含まれるＲＢを特定することは、ネットワーク側から送信される通知メッセージに基づき、ＢＷＰの第一個のＲＢＧに含まれるＲＢを特定することを含む。
【００３８】
ここで、上記通知メッセージは、上記第一個のＲＢＧに含まれるＲＢを特定するためのパラメータをユーザ端末に通知する。ユーザ端末は、当該通知メッセージを受信すると、第一個のＲＢＧに含まれるＲＢを正確に特定することができる。かつ通知メッセージがネットワーク側から送信されるため、複数のユーザ端末のＢＷＰが重なる場合、複数のユーザ端末のＲＢＧ分割が整合であることが保証される。各ユーザ端末のＢＷＰがネットワーク側では既知であるため、上記通知メッセージによって、各ユーザ端末の分割後のＲＢＧ分割を整合させ、リソース使用効率を向上させる。
【００３９】
選択可能に、上記通知メッセージは、前記第一個のＲＢＧの開始位置、前記第一個のＲＢＧの終了位置、前記第一個のＲＢＧに含まれるＲＢ数または前記ＢＷＰの第二個のＲＢＧの開始位置を含む。
【００４０】
上記通知メッセージによって、第一個のＲＢＧに含まれるＲＢを柔軟に特定することができる。
【００４１】
また、上記通知メッセージに前記第一個のＲＢＧの開始位置、前記第一個のＲＢＧの終了位置、前記第一個のＲＢＧに含まれるＲＢ数または前記ＢＷＰの第二個のＲＢＧの開始位置を含むことは、当該通知メッセージにこれらの情報が付帯されていると理解されてもよい。すなわち、本開示の実施例において、通知メッセージには、前記第一個のＲＢＧの開始位置、前記第一個のＲＢＧの終了位置、前記第一個のＲＢＧに含まれるＲＢ数または前記ＢＷＰの第二個のＲＢＧの開始位置を含むが、それらに限られない。たとえば、これらの情報のほかに、上記通知メッセージは、ネットワーク側からユーザ端末に設定するほかの情報をさらに含んでもよいが、もちろん、含まなくてもよく、すなわちこれらの情報のみを含む。かつ上記通知メッセージは、本開示の実施例で新規定義された情報であり、または、関連技術のプロトコルで定義済みのメッセージであってもよい。本開示の実施例において、関連技術のメッセージに上記第一個のＲＢＧの開始位置、前記第一個のＲＢＧの終了位置、前記第一個のＲＢＧに含まれるＲＢ数または前記ＢＷＰの第二個のＲＢＧの開始位置を追加することにより、伝送オーバヘッドを減少させる。
【００４２】
ここで、ネットワーク側から送信される通知メッセージに基づき、ＢＷＰの第一個のＲＢＧに含まれるＲＢを特定することは、前記第一個のＲＢＧの開始位置が前記通知メッセージに含まれると、前記第一個のＲＢＧの開始位置からＰ（前記ＲＢＧサイズ）個のＲＢのうち、前記ＢＷＰに属するＲＢを、前記第一個のＲＢＧに含まれるＲＢとすること、または、前記第一個のＲＢＧの終了位置が前記通知メッセージに含まれると、前記ＢＷＰの第一個のＲＢから、終了位置が前記第一個のＲＢＧの終了位置である少なくとも１つのＲＢを、前記第一個のＲＢＧに含まれるＲＢとすること、または、前記第一個のＲＢＧに含まれるＲＢ数が前記通知メッセージに含まれると、前記ＢＷＰの第一個のＲＢから、ＲＢ数が前記第一個のＲＢＧに含まれるＲＢ数である少なくとも１つのＲＢを、前記第一個のＲＢＧに含まれるＲＢとすること、または、前記第二個のＲＢＧの開始位置が前記通知メッセージに含まれると、前記ＢＷＰの第一個のＲＢから、終了位置が前記第二個のＲＢＧの開始位置の一つ前のＲＢである少なくとも１つのＲＢを、前記第一個のＲＢＧに含まれるＲＢとすることを含む。
【００４３】
以下、ユーザ端末のＢＷＰに含まれるＮ個のＲＢが、周波数の低い順にＲＢ０，ＲＢ１，…，ＲＢＮ−１と番号付けられ、かつネットワーク側からＢＷＰの低周波側の第一個のＲＢＧ位置をユーザ端末に通知することを例として、上記の第一個のＲＢＧを特定する実施形態を例示して説明する。
【００４４】
方式１：ネットワーク側から第一個のＲＢＧの開始位置を通知する。
ネットワーク側から第一個のＲＢＧの開始ＲＢ番号を通知する。たとえば、開始ＲＢ番号Ｉｓｔａｒｔの値の範囲が−Ｎ１，−Ｎ１＋１，…，０である。ここで、Ｎ１＝Ｐ−１。Ｐは、ＲＢＧサイズである。すると、第一個のＲＢＧのサイズは、Ｐ＋Ｉｓｔａｒｔであり、ＲＢ０〜
【数１３】
2020534760.tif 000015
を含む。
【００４５】
方式２：ネットワーク側から第一個のＲＢＧの終了位置を通知する。
ネットワーク側から第一個のＲＢＧの終了ＲＢ番号を通知する。具体的に、終了ＲＢ番号Ｉｅｎｄの値の範囲が０，１，…，Ｎ２である。ここで、Ｎ２＝Ｐ−１。Ｐは、ＲＢＧサイズである。すると、第一個のＲＢＧのサイズは、Ｉｅｎｄ＋１であり、ＲＢ０〜
【数１４】
2020534760.tif 000016
を含む。
【００４６】
方式３：ネットワーク側から第一個のＲＢＧのサイズを通知する。
ネットワーク側から第一個のＲＢＧのサイズＰ１を通知する。すると、第一個のＲＢＧに含まれるＲＢは、ＲＢ０〜ＲＢＰ１であり、Ｐ１の値の範囲は、１，２，…，Ｐであり、Ｐは、ＲＢＧサイズである。
【００４７】
方式４：ネットワーク側から第二個のＲＢＧの開始位置を通知する。
ネットワーク側から第二個のＲＢＧの開始ＲＢ番号を通知する。たとえば、開始ＲＢ番号Ｉ´ｓｔａｒｔの値の範囲が１，２，…，Ｐである。すると、第一個のＲＢＧに含まれるＲＢは、前からＩ´ｓｔａｒｔ個のＲＢであり、すなわちＲＢ０〜
【数１５】
2020534760.tif 000017
を含む。
【００４８】
ＲＢＧサイズＰを４とする。図６に示すように、図６には、Ｉｓｔａｒｔ＝−３，−２，−１，０／Ｉｅｎｄ＝０，１，２，３／Ｐ１＝１，２，３，４／Ｉ´ｓｔａｒｔ＝１，２，３，４の場合の第一個のＲＢＧの位置およびサイズの概略図が示されている。Ｉｓｔａｒｔ＝−３／Ｉｅｎｄ＝０／Ｐ１＝１／Ｉ´ｓｔａｒｔ＝１の場合、第一個のＲＢＧのサイズは、１であり、ＲＢ０のみを含む。Ｉｓｔａｒｔ＝−２／Ｉｅｎｄ＝１／Ｐ１＝２／Ｉ´ｓｔａｒｔ＝２の場合、第一個のＲＢＧのサイズは、２であり、ＲＢ０とＲＢ１を含む。Ｉｓｔａｒｔ＝−１／Ｉｅｎｄ＝２／Ｐ１＝３／Ｉ´ｓｔａｒｔ＝３の場合、第一個のＲＢＧのサイズは、３であり、ＲＢ０、ＲＢ１、ＲＢ２を含む。Ｉｓｔａｒｔ＝０／Ｉｅｎｄ＝３／Ｐ１＝４／Ｉ´ｓｔａｒｔ＝４の場合、第一個のＲＢＧのサイズは、４であり、ＲＢ０〜ＲＢ３を含む。
【００４９】
上記方式によれば、第一個のＲＢＧに含まれるＲＢを柔軟かつ正確に特定することができる。
【００５０】
別の選択可能な実施形態において、ＢＷＰの第一個のＲＢＧに含まれるＲＢを特定することは、前記ＢＷＰの第一個のＲＢとキャリア帯域幅の第一個のＲＢとのオフセットに基づき、ＢＷＰの第一個のＲＢＧに含まれるＲＢを特定することを含む。
【００５１】
上記オフセットは、ＢＷＰの第一個のＲＢからキャリア帯域幅の第一個のＲＢまでのＲＢ数と理解されてもよい。たとえば、ユーザ端末のＢＷＰのＲＢは、周波数の低い順にＲＢ０から番号付けられ、上記ＢＷＰの第一個のＲＢ（ＲＢ０）は、キャリア帯域幅での番号がＲＢＳであり、かつキャリア帯域幅の第一個のＲＢは、番号がＲＢ０であると、図７に示すように、上記オフセットは、Ｓである。
【００５２】
なお、ＢＷＰの第一個のＲＢとキャリア帯域幅の第一個のＲＢとは、ともに同一側の第一個のＲＢを指す。たとえば、ＢＷＰの第一個のＲＢとキャリア帯域幅の第一個のＲＢとは、それぞれＢＷＰの低周波側の第一個のＲＢ、キャリア帯域幅の低周波側の第一個のＲＢであり、または、それぞれＢＷＰの高周波側の第一個のＲＢ、キャリア帯域幅の高周波側の第一個のＲＢである。
【００５３】
当該実施形態において、各ユーザ端末が、各自のオフセットに基づき、ＢＷＰの第一個のＲＢＧに含まれるＲＢを特定することが実現される。実際の応用において、各ユーザ端末のＲＢＧサイズは、往々に倍数関係である。たとえば、ＲＢＧサイズは、それぞれ１、２、４、８、１６などに等しい。このように、図５に示すように、重なるＢＷＰのＲＢＧ分割が整合であることが実現され、リソース使用効率を向上させる。
【００５４】
選択可能に、前記ＢＷＰの第一個のＲＢとキャリア帯域幅の第一個のＲＢとのオフセットに基づき、ＢＷＰの第一個のＲＢＧに含まれるＲＢを特定することは、ＢＷＰのＴ個のＲＢを前記第一個のＲＢＧに含まれるＲＢとして特定することを含み、ここで、前記Ｔは、Ｐ−（Ｓ  ｍｏｄ  Ｐ）に等しく、ここで、前記Ｐは、前記ＲＢＧサイズであり、前記Ｓは、前記オフセットであり、前記ｍｏｄは、余りを求める関数である。
【００５５】
第一個のＲＢＧに含まれるＲＢ数が上記Ｔであることが実現される。もちろん、異なるユーザ端末のＢＷＰが異なると、異なるユーザ端末のＴは、異なる可能性がある。たとえば、あるユーザ端末についてＰ＝８、Ｓ＝１０６の場合、第一個のＲＢＧのサイズは、８−１０６％８＝６である。ここで、１０６％８は、１０６割る８の余りを示す。すると、図７では、ＲＢＧ＃０は、ＲＢＳ〜ＲＢＳ＋５を含む。
【００５６】
Ｔ＝Ｐ−Ｓ  ｍｏｄ  Ｐ、かつ実際の応用では、各ユーザ端末のＰが往々に倍数関係であるため、各ユーザ端末に分割されたＲＢＧの境界が揃うことが保証される。たとえば、ユーザ端末３のＰは、ユーザ端末１、ユーザ端末２のＰの２倍であり、かつユーザ端末１とユーザ端末３のＴは、それぞれのＰに等しく、すなわちＳ  ｍｏｄ  Ｐが０に等しく、かつユーザ端末２のＴは、ユーザ端末２のＰより小さい。上記ステップによって、図５に示すＲＢＧ分割が実現され、ユーザ端末１のＲＢＧ＃０〜ＲＢＧ＃５の境界とユーザ端末３のＲＢＧ＃０〜ＲＢＧ＃２の境界は、揃っており、ユーザ端末２のＲＢＧ＃１〜ＲＢＧ＃５の境界とユーザ端末３のＲＢＧ＃３〜ＲＢＧ＃５の境界は、揃っている。ここで、ユーザ端末３のＰは、ユーザ端末１、ユーザ端末２のＰの２倍である。
【００５７】
選択可能に、ＢＷＰのＴ個のＲＢを前記第一個のＲＢＧに含まれるＲＢとして特定することは、前記ＢＷＰの第一個のＲＢからＴ個のＲＢを、前記第一個のＲＢＧに含まれるＲＢとすることを含む。
【００５８】
当該実施形態において、ＢＷＰの前からＴ個のＲＢを、第一個のＲＢＧ（ＲＢＧ＃０）に含まれるＲＢとすることが実現される。よって、複数のユーザ端末のＢＷＰが重なる場合、ユーザ端末のＢＷＰのＲＢＧ分割が整合であることが保証されやすい。たとえば、図５に示すように、ユーザ端末１のＳ  ｍｏｄ  Ｐが０に等しくなると、第一個のＲＢＧ（ＲＢＧ＃０）は、前からＰ個のＲＢを含み、ユーザ端末２のＴがＰより小さくなると、第一個のＲＢＧ（ＲＢＧ＃０）は、前からＴ個のＲＢを含み、ユーザ端末３のＳ  ｍｏｄ  Ｐが０に等しくなると、第一個のＲＢＧ（ＲＢＧ＃０）は、前からＰ個のＲＢを含む。
【００５９】
なお、本開示の実施例で紹介した複数種類の選択可能な実施形態は、互いに組み合わせて実現されてもよく、単独で実現されてもよいが、これに対し、本開示の実施例において限定しない。
【００６０】
本開示の実施例において、ＢＷＰの第一個のＲＢＧに含まれるＲＢを特定し、前記ＢＷＰのうちの他ＲＢＧに含まれるＲＢを、予め取得したＰ基づいて特定する。ここで、前記Ｐは、ＲＢＧサイズであり、前記他ＲＢＧは、前記ＢＷＰのうち、前記第一個のＲＢＧを除いたＲＢＧである。第一個のＲＢＧに含まれるＲＢを特定してから、Ｐで他ＲＢＧを分割するため、すべてのＲＢＧをＰで分割する関連技術に比較し、異なるユーザ端末のＲＢＧ分割が整合しないことを減少させ、または、異なるユーザ端末のＲＢＧ分割が整合しないことが避けられ、リソース利用効率を向上させることができる。
【００６１】
図８を参照する。図８は、本開示の実施例におけるユーザ端末の構造図である。図８に示すように、ユーザ端末８００は、ＢＷＰの第一個のＲＢＧに含まれるＲＢを特定するための第１特定モジュール８０１と、前記ＢＷＰのうちの他ＲＢＧに含まれるＲＢを、予め取得したＲＢＧサイズに基づいて特定するための第２特定モジュール８０２とを含み、ここで、前記他ＲＢＧは、前記ＢＷＰのうち、前記第一個のＲＢＧを除いたＲＢＧである。
【００６２】
選択可能に、前記第一個のＲＢＧは、前記ＢＷＰの低周波側の第一個のＲＢＧであり、前記第２特定モジュール８０２は、前記ＢＷＰのうちの他ＲＢＧに含まれるＲＢを、予め取得したＲＢＧサイズに基づき、かつ周波数の低い順に特定することに用いられる。または、前記第一個のＲＢＧは、前記ＢＷＰの高周波側の第一個のＲＢＧであり、前記第２特定モジュール８０２は、前記ＢＷＰのうちの他ＲＢＧに含まれるＲＢを、予め取得したＲＢＧサイズに基づき、かつ周波数の高い順に特定することに用いられる。
【００６３】
選択可能に、第１特定モジュール８０１は、ネットワーク側から送信される通知メッセージに基づき、ＢＷＰの第一個のＲＢＧに含まれるＲＢを特定することに用いられる。または、第１特定モジュール８０１は、前記ＢＷＰの第一個のＲＢとキャリア帯域幅の第一個のＲＢとのオフセットに基づき、ＢＷＰの第一個のＲＢＧに含まれるＲＢを特定することに用いられる。
【００６４】
選択可能に、前記通知メッセージは、前記第一個のＲＢＧの開始位置、前記第一個のＲＢＧの終了位置、前記第一個のＲＢＧに含まれるＲＢ数または前記ＢＷＰの第二個のＲＢＧの開始位置を含む。
【００６５】
選択可能に、第１特定モジュール８０１は、前記第一個のＲＢＧの開始位置が前記通知メッセージに含まれると、前記第一個のＲＢＧの開始位置からＰ（前記ＲＢＧサイズ）個のＲＢのうち、前記ＢＷＰに属するＲＢを、前記第一個のＲＢＧに含まれるＲＢとすることに用いられる。または、第１特定モジュール８０１は、前記第一個のＲＢＧの終了位置が前記通知メッセージに含まれると、前記ＢＷＰの第一個のＲＢから、終了位置が前記第一個のＲＢＧの終了位置である少なくとも１つのＲＢを、前記第一個のＲＢＧに含まれるＲＢとすることに用いられる。または、第１特定モジュール８０１は、前記第一個のＲＢＧに含まれるＲＢ数が前記通知メッセージに含まれると、前記ＢＷＰの第一個のＲＢから、ＲＢ数が前記第一個のＲＢＧに含まれるＲＢ数である少なくとも１つのＲＢを、前記第一個のＲＢＧに含まれるＲＢとすることに用いられる。または、第１特定モジュール８０１は、前記第二個のＲＢＧの開始位置が前記通知メッセージに含まれると、前記ＢＷＰの第一個のＲＢから、終了位置が前記第二個のＲＢＧの開始位置の一つ前のＲＢである少なくとも１つのＲＢを、前記第一個のＲＢＧに含まれるＲＢとすることに用いられる。
【００６６】
選択可能に、第１特定モジュール８０１は、ＢＷＰのＴ個のＲＢを前記第一個のＲＢＧに含まれるＲＢとして特定することに用いられ、ここで、前記Ｔは、Ｐ−（Ｓ  ｍｏｄ  Ｐ）に等しく、ここで、前記Ｐは、前記ＲＢＧサイズであり、前記Ｓは、前記オフセットであり、前記ｍｏｄは、余りを求める関数である。
【００６７】
選択可能に、第１特定モジュール８０１は、前記ＢＷＰの第一個のＲＢからＴ個のＲＢを、前記第一個のＲＢＧに含まれるＲＢとすることに用いられる。
【００６８】
なお、本実施例における上記ユーザ端末８００は、本開示の実施例における方法実施例の任意の実施形態のユーザ端末であってもよい。本開示の実施例における方法実施例のユーザ端末の任意の実施形態を、本実施例における上記ユーザ端末８００によって実現可能であり、かつ同じ効果を奏するため、ここでは繰り返して記載しない。
【００６９】
図９を参照する。図９は、本開示の実施例における別のユーザ端末の構造図である。図９に示すように、当該ユーザ端末は、メモリ９１０と、プロセッサ９００と、前記メモリ９１０に記憶されて前記プロセッサ９００で実行可能なコンピュータプログラムを含む。前記プロセッサ９００は、メモリ９１０からプログラムを読み取ることによって、ＢＷＰの第一個のＲＢＧに含まれるＲＢを特定するプロセスと、前記ＢＷＰのうちの他ＲＢＧに含まれるＲＢを、予め取得したＲＢＧサイズに基づいて特定するプロセスとを実行することに用いられ、ここで、前記他ＲＢＧは、前記ＢＷＰのうち、前記第一個のＲＢＧを除いたＲＢＧである。
【００７０】
もちろん、一部の実施形態において、上記ユーザ端末は、プロセッサ９００による制御でデータを送受信するためのトランシーバ９２０をさらに含んでもよい。
【００７１】
図９において、バスアーキテクチャは、任意数の相互接続するバスとブリッジを含み、具体的に、プロセッサ９００をはじめとする１つ又は複数のプロセッサとメモリ９１０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ９２０は、複数の部品であってもよく、即ち送信機と受信機を含み、伝送媒体でほかの各種類の装置と通信するユニットとして提供される。
【００７２】
プロセッサ９００は、バスアーキテクチャと通常の処理を管理する。メモリ９１０は、プロセッサ９００による操作実行に使用されるデータを記憶できる。
【００７３】
なお、メモリ９１０は、ユーザ端末の１つの機器のみに限定されない。メモリ９１０とプロセッサ９００は、異なる地理位置に離間して位置してもよい。
【００７４】
選択可能に、前記第一個のＲＢＧは、前記ＢＷＰの低周波側の第一個のＲＢＧであり、前記プロセッサ９００による、前記ＢＷＰのうちの他ＲＢＧに含まれるＲＢを、予め取得したＲＢＧサイズに基づいて特定することは、前記ＢＷＰのうちの他ＲＢＧに含まれるＲＢを、予め取得したＲＢＧサイズに基づき、かつ周波数の低い順に特定することを含む。または、前記第一個のＲＢＧは、前記ＢＷＰの高周波側の第一個のＲＢＧであり、前記プロセッサによる、前記ＢＷＰのうちの他ＲＢＧに含まれるＲＢを、予め取得したＲＢＧサイズに基づいて特定することは、前記ＢＷＰのうちの他ＲＢＧに含まれるＲＢを、予め取得したＲＢＧサイズに基づき、かつ周波数の高い順に特定することを含む。
【００７５】
選択可能に、前記プロセッサ９００による、ＢＷＰの第一個のＲＢＧに含まれるＲＢを特定することは、ネットワーク側から送信される通知メッセージに基づき、ＢＷＰの第一個のＲＢＧに含まれるＲＢを特定すること、または、前記ＢＷＰの第一個のＲＢとキャリア帯域幅の第一個のＲＢとのオフセットに基づき、ＢＷＰの第一個のＲＢＧに含まれるＲＢを特定することを含む。
【００７６】
選択可能に、前記通知メッセージは、前記第一個のＲＢＧの開始位置、前記第一個のＲＢＧの終了位置、前記第一個のＲＢＧに含まれるＲＢ数または前記ＢＷＰの第二個のＲＢＧの開始位置を含む。
【００７７】
選択可能に、前記プロセッサ９００による、ネットワーク側から送信される通知メッセージに基づき、ＢＷＰの第一個のＲＢＧに含まれるＲＢを特定することは、前記第一個のＲＢＧの開始位置が前記通知メッセージに含まれると、前記第一個のＲＢＧの開始位置からＰ（前記ＲＢＧサイズ）個のＲＢのうち、前記ＢＷＰに属するＲＢを、前記第一個のＲＢＧに含まれるＲＢとすること、または、前記第一個のＲＢＧの終了位置が前記通知メッセージに含まれると、前記ＢＷＰの第一個のＲＢから、終了位置が前記第一個のＲＢＧの終了位置である少なくとも１つのＲＢを、前記第一個のＲＢＧに含まれるＲＢとすること、または、前記第一個のＲＢＧに含まれるＲＢ数が前記通知メッセージに含まれると、前記ＢＷＰの第一個のＲＢから、ＲＢ数が前記第一個のＲＢＧに含まれるＲＢ数である少なくとも１つのＲＢを、前記第一個のＲＢＧに含まれるＲＢとすること、または、前記第二個のＲＢＧの開始位置が前記通知メッセージに含まれると、前記ＢＷＰの第一個のＲＢから、終了位置が前記第二個のＲＢＧの開始位置の一つ前のＲＢである少なくとも１つのＲＢを、前記第一個のＲＢＧに含まれるＲＢとすることを含む。
【００７８】
選択可能に、前記プロセッサ９００による、前記ＢＷＰの第一個のＲＢとキャリア帯域幅の第一個のＲＢとのオフセットに基づき、ＢＷＰの第一個のＲＢＧに含まれるＲＢを特定することは、ＢＷＰのＴ個のＲＢを前記第一個のＲＢＧに含まれるＲＢとして特定することを含み、ここで、前記Ｔは、Ｐ−（Ｓ  ｍｏｄ  Ｐ）に等しく、ここで、前記Ｐは、前記ＲＢＧサイズであり、前記Ｓは、前記オフセットであり、前記ｍｏｄは、余りを求める関数である。
【００７９】
選択可能に、前記プロセッサ９００による、ＢＷＰのＴ個のＲＢを前記第一個のＲＢＧに含まれるＲＢとして特定することは、前記ＢＷＰの第一個のＲＢからＴ個のＲＢを、前記第一個のＲＢＧに含まれるＲＢとすることを含む。
【００８０】
なお、本実施例における上記ユーザ端末は、本開示の実施例における方法実施例の任意の実施形態のユーザ端末であってもよい。本開示の実施例における方法実施例のユーザ端末の任意の実施形態を、本実施例における上記ユーザ端末によって実現可能であり、かつ同じ効果を奏するため、ここでは繰り返して記載しない。
【００８１】
本開示の実施例は、コンピュータプログラムが記憶されているコンピュータ読み取り可能な記憶媒体をさらに提供する。当該プログラムがプロセッサによって実行されると、本開示の実施例におけるＲＢＧ分割方法のステップが実現される。
【００８２】
本願で提供されるいくつかの実施例において、開示された方法および装置は、他の方式で実施され得ることを理解されたい。例えば、以上に記載された装置の実施例は、単なる例示である。例えば、ユニットの区分は、単に論理機能の区分であり、実際に実現する際に別の区分方式がある。例えば、複数のユニットまたはコンポーネントは、別のシステムに組み合わせられまたは一体化される。または、一部の特徴は、無視されてもよく、または実行されなくてもよい。また、示されておりまたは議論されている相互間の結合や直接結合や通信接続は、インタフェース、装置またはユニットを介した間接結合や通信接続であり、電気的、機械的、または他の形式である。
【００８３】
また、本開示の各実施例における各機能的ユニットは、１つの処理部に一体化されていてもよいし、別々に設けられていてもよいし、２つ以上が一体化されてもよい。上述した一体化ユニットは、ハードウェアの形態、またはハードウェアとソフトウェア機能ユニットの形態で実施することができる。
【００８４】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例に記載の方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【００８５】
以上記載されたのは、本開示の好適な実施形態である。なお、当業者は、本開示に記載されている原理を逸脱せずに様々な改良や修飾をすることもできる。これらの改良や修飾も、本開示の保護範囲として見なされるべきである。
【図１】
2020534760.tif 000018
【図２】
2020534760.tif 000019
【図３】
2020534760.tif 000020
【図４】
2020534760.tif 000021
【図５】
2020534760.tif 000022
【図６】
2020534760.tif 000023
【図７】
2020534760.tif 000024
【図８】
2020534760.tif 000025
【図９】
2020534760.tif 000026
【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
ＲＢＧ（Ｒｅｓｏｕｒｃｅ  Ｂｌｏｃｋ  Ｇｒｏｕｐ）分割方法において、
ＢＷＰ（Ｂａｎｄ  Ｗｉｄｔｈ  Ｐａｒｔ）の第一個のＲＢＧに含まれるＲＢ（Ｒｅｓｏｕｒｃｅ  Ｂｌｏｃｋ）を特定することと、
前記ＢＷＰのうちの他ＲＢＧに含まれるＲＢを、予め取得したＲＢＧサイズに基づいて特定することとを含み、
ここで、前記他ＲＢＧは、前記ＢＷＰのうち、前記第一個のＲＢＧを除いたＲＢＧである、ＲＢＧ分割方法。
【請求項２】
前記第一個のＲＢＧは、前記ＢＷＰの低周波側の第一個のＲＢＧであり、
前記ＢＷＰのうちの他ＲＢＧに含まれるＲＢを、予め取得したＲＢＧサイズに基づいて特定することは、
前記ＢＷＰのうちの他ＲＢＧに含まれるＲＢを、予め取得したＲＢＧサイズに基づき、かつ周波数の低い順に特定することを含み、
または、
前記第一個のＲＢＧは、前記ＢＷＰの高周波側の第一個のＲＢＧであり、
前記ＢＷＰのうちの他ＲＢＧに含まれるＲＢを、予め取得したＲＢＧサイズに基づいて特定することは、
前記ＢＷＰのうちの他ＲＢＧに含まれるＲＢを、予め取得したＲＢＧサイズに基づき、かつ周波数の高い順に特定することを含む、請求項１に記載の方法。
【請求項３】
ＢＷＰの第一個のＲＢＧに含まれるＲＢを特定することは、
ネットワーク側から送信される通知メッセージに基づき、ＢＷＰの第一個のＲＢＧに含まれるＲＢを特定すること、または、
前記ＢＷＰの第一個のＲＢとキャリア帯域幅の第一個のＲＢとのオフセットに基づき、ＢＷＰの第一個のＲＢＧに含まれるＲＢを特定することを含む、請求項１または２に記載の方法。
【請求項４】
前記通知メッセージは、
前記第一個のＲＢＧの開始位置、前記第一個のＲＢＧの終了位置、前記第一個のＲＢＧに含まれるＲＢ数または前記ＢＷＰの第二個のＲＢＧの開始位置を含む、請求項３に記載の方法。
【請求項５】
ネットワーク側から送信される通知メッセージに基づき、ＢＷＰの第一個のＲＢＧに含まれるＲＢを特定することは、
前記第一個のＲＢＧの開始位置が前記通知メッセージに含まれると、前記第一個のＲＢＧの開始位置からＰ（前記ＲＢＧサイズ）個のＲＢのうち、前記ＢＷＰに属するＲＢを、前記第一個のＲＢＧに含まれるＲＢとすること、または、
前記第一個のＲＢＧの終了位置が前記通知メッセージに含まれると、前記ＢＷＰの第一個のＲＢから、終了位置が前記第一個のＲＢＧの終了位置である少なくとも１つのＲＢを、前記第一個のＲＢＧに含まれるＲＢとすること、または、
前記第一個のＲＢＧに含まれるＲＢ数が前記通知メッセージに含まれると、前記ＢＷＰの第一個のＲＢから、ＲＢ数が前記第一個のＲＢＧに含まれるＲＢ数である少なくとも１つのＲＢを、前記第一個のＲＢＧに含まれるＲＢとすること、または、
前記第二個のＲＢＧの開始位置が前記通知メッセージに含まれると、前記ＢＷＰの第一個のＲＢから、終了位置が前記第二個のＲＢＧの開始位置の一つ前のＲＢである少なくとも１つのＲＢを、前記第一個のＲＢＧに含まれるＲＢとすることを含む、請求項４に記載の方法。
【請求項６】
前記ＢＷＰの第一個のＲＢとキャリア帯域幅の第一個のＲＢとのオフセットに基づき、ＢＷＰの第一個のＲＢＧに含まれるＲＢを特定することは、
ＢＷＰのＴ個のＲＢを前記第一個のＲＢＧに含まれるＲＢとして特定することを含み、
ここで、前記Ｔは、Ｐ−（Ｓ  ｍｏｄ  Ｐ）に等しく、ここで、前記Ｐは、前記ＲＢＧサイズであり、前記Ｓは、前記オフセットであり、前記ｍｏｄは、余りを求める関数である、請求項３に記載の方法。
【請求項７】
ＢＷＰのＴ個のＲＢを前記第一個のＲＢＧに含まれるＲＢとして特定することは、
前記ＢＷＰの第一個のＲＢからＴ個のＲＢを、前記第一個のＲＢＧに含まれるＲＢとすることを含む、請求項６に記載の方法。
【請求項８】
ＢＷＰの第一個のＲＢＧに含まれるＲＢを特定するための第１特定モジュールと、
前記ＢＷＰのうちの他ＲＢＧに含まれるＲＢを、予め取得したＲＢＧサイズに基づいて特定するための第２特定モジュールとを含み、
前記他ＲＢＧは、前記ＢＷＰのうち、前記第一個のＲＢＧを除いたＲＢＧである、ユーザ端末。
【請求項９】
前記第１特定モジュールは、
ネットワーク側から送信される通知メッセージに基づき、ＢＷＰの第一個のＲＢＧに含まれるＲＢを特定することに用いられ、
または、
前記第１特定モジュールは、
前記ＢＷＰの第一個のＲＢとキャリア帯域幅の第一個のＲＢとのオフセットに基づき、ＢＷＰの第一個のＲＢＧに含まれるＲＢを特定することに用いられる、請求項８に記載のユーザ端末。
【請求項１０】
前記通知メッセージは、
前記第一個のＲＢＧの開始位置、前記第一個のＲＢＧの終了位置、前記第一個のＲＢＧに含まれるＲＢ数または前記ＢＷＰの第二個のＲＢＧの開始位置を含む、請求項９に記載のユーザ端末。
【請求項１１】
前記第１特定モジュールは、
ＢＷＰのＴ個のＲＢを前記第一個のＲＢＧに含まれるＲＢとして特定することに用いられ、
ここで、前記Ｔは、Ｐ−（Ｓ  ｍｏｄ  Ｐ）に等しく、ここで、前記Ｐは、前記ＲＢＧサイズであり、前記Ｓは、前記オフセットであり、前記ｍｏｄは、余りを求める関数である、請求項９に記載のユーザ端末。
【請求項１２】
メモリと、プロセッサと、前記メモリに記憶されて前記プロセッサで実行可能なコンピュータプログラムを含むユーザ端末であって、
前記プロセッサは、メモリからプログラムを読み取ることによって、
ＢＷＰの第一個のＲＢＧに含まれるＲＢを特定するプロセスと、
前記ＢＷＰのうちの他ＲＢＧに含まれるＲＢを、予め取得したＲＢＧサイズに基づいて特定するプロセスとを実行することに用いられ、
前記他ＲＢＧは、前記ＢＷＰのうち、前記第一個のＲＢＧを除いたＲＢＧである、ユーザ端末。
【請求項１３】
前記第一個のＲＢＧは、前記ＢＷＰの低周波側の第一個のＲＢＧであり、
前記プロセッサによる、前記ＢＷＰのうちの他ＲＢＧに含まれるＲＢを、予め取得したＲＢＧサイズに基づいて特定することは、
前記ＢＷＰのうちの他ＲＢＧに含まれるＲＢを、予め取得したＲＢＧサイズに基づき、かつ周波数の低い順に特定することを含み、
または、
前記第一個のＲＢＧは、前記ＢＷＰの高周波側の第一個のＲＢＧであり、
前記プロセッサによる、前記ＢＷＰのうちの他ＲＢＧに含まれるＲＢを、予め取得したＲＢＧサイズに基づいて特定することは、
前記ＢＷＰのうちの他ＲＢＧに含まれるＲＢを、予め取得したＲＢＧサイズに基づき、かつ周波数の高い順に特定することを含む、請求項１２に記載のユーザ端末。
【請求項１４】
前記プロセッサによる、ＢＷＰの第一個のＲＢＧに含まれるＲＢを特定することは、
ネットワーク側から送信される通知メッセージに基づき、ＢＷＰの第一個のＲＢＧに含まれるＲＢを特定すること、または、
前記ＢＷＰの第一個のＲＢとキャリア帯域幅の第一個のＲＢとのオフセットに基づき、ＢＷＰの第一個のＲＢＧに含まれるＲＢを特定することを含む、請求項１２または１３に記載のユーザ端末。
【請求項１５】
前記通知メッセージは、
前記第一個のＲＢＧの開始位置、前記第一個のＲＢＧの終了位置、前記第一個のＲＢＧに含まれるＲＢ数または前記ＢＷＰの第二個のＲＢＧの開始位置を含む、請求項１４に記載のユーザ端末。
【国際調査報告】
2020534760.tif 000027
2020534760.tif 000028
2020534760.tif 000029
2020534760.tif 000030
2020534760.tif 000031
2020534760.tif 000032